(57)【特許請求の範囲】
【請求項１】
指先被覆シートと、固定バンドとを含む指先被覆具であって、
前記指先被覆シートは、平面視円形形状であって、指先の皮膚と向かい合う側が非接着面となっており、前記非接着面側が指先を包み込むように取り付けられ、
前記固定バンドは、
一端が前記指先被覆シートの周縁部分に取り付けられ、他端が前記指先被覆シートに対して接線方向に突出して延びており、
前記指先被覆シートが指先を包み込むように取り付けられた状態で、前記指先被覆シートの全周縁部分を巻き込むように巻装され、前記全周縁部分を締め付けて保持する、
指先被覆具。
【請求項２】
請求項１に記載された指先被覆具であって、
前記指先被覆シートは、食品用ラップフィルムを用いて構成されている、
指先被覆具。
【請求項３】
請求項１又は２に記載された指先被覆具であって、さらに補強部を有し、
前記補強部は、指先被覆シートの破損を防止するものであって、前記指先被覆シートの周縁に沿って配置されている、
指先被覆具。
【請求項４】
請求項１乃至３の何れかに記載された指先被覆具であって、さらに複数の切込みを有し、
前記複数の切込みは、前記指先被覆シートの周縁に沿って所定の間隔を隔てて配置されており、
前記切込みは、先端側が前記指先被覆シートの中心に向かって延びており、前記指先被覆シートの周縁上で最も広く開口し、中心に向かって幅が徐々に狭くなっている、
指先被覆具。
【発明の詳細な説明】
【技術分野】
【０００１】
本発明は、指先被覆具に関する。
【背景技術】
【０００２】
従来、アトピー性皮膚炎など患部に激しい痒みを生じる皮膚疾患の患者は、その痒みに耐えかねて、又は、無意識に患部を指の爪で引っ掻き、症状を悪化させてしまう、という問題を生じる。
【０００３】
上述した患者自身による患部掻破の問題を解決するため、従来より、種々の技術が提案され、実用に供されている。例えば、特許文献１に開示されている指先被覆具は、瓢箪型にくびれた形状の通気性フィルムの一面を接着面とし、且つ、くびれ部分の接着面上に非接着性パッドが配置されている。他方、特許文献２に開示されている指先被覆具は、布帛を支持体とし、該支持体の片面上に感圧性接着剤層を形成してなる。特許文献１、２に開示されているような接着型の指先被覆具によると、これを指先に貼り付けて指爪を覆うことにより、患部を引っ掻いたとしても、指爪による直接的な掻破は回避されることとなる。
【０００４】
ところで、この種の皮膚疾患は、人体の至る所にあらわれるから、指先に症状があらわれている場合、そこに接着型の指先被覆具を貼ること自体が症状を悪化させる原因となる。特に、皮膚疾患の患者は、自ら患部に塗り薬を塗布する機会も多く、塗り薬の副作用によって、指先に肌荒れを生じていることもある。さらに言えば、指先は、人体において、しもやけやあかぎれなどの凍瘡、その他の切り傷、擦過傷、熱傷などの各種損傷が最も生じやすい部位の一つである。従って、指先に対し、特許文献１、２に開示されているような接着型の指先被覆具を貼ることは、指先にあらわれている皮膚疾患の悪化も招くことにもなる。
【０００５】
この点、従来の接着型の指先被覆具では、通常、接着面内に非接着性パッドを配し、非接着性パッドによって皮膚疾患の患部を覆うことにより、接着面が患部に接触しないように配慮されている。しかし、この構成では、患部の形成範囲に追従した、多種多様な非接着性パッドが必要になるから、患部の保護を効率的に行うことができない。
【０００６】
また、指先や指爪の長さや大きさ、太さ自体にも、患者毎に個人差があり、一定ではない。従って、特許文献１、２に開示されているような接着型の指先被覆具では、患者の指先や指爪の個人差に応じて多種多様な非接着性パッドが必要になるから、患部の保護を効率的に行うことができない。
【０００７】
さらに、接着型の指先被覆具は、指先に貼り付けるものであるところ、そのような貼り付け作業を、片手で行うことは困難である。しかも、接着型の指先被覆具では、貼り付けに失敗して貼り直しを行う度に接着力が失われる結果、剥がれ易くなるから、指先（及び患部）を適切に被覆し続けることができない。
【０００８】
加えて、この種の指先被覆具は、衛生上の観点から、好ましくは使い捨てされるべきものであるところ、接着型の指先被覆具では、フィルムの一面に接着面を形成しなければならない分だけ、コスト高を招く。
【先行技術文献】
【特許文献】
【０００９】
【特許文献１】特開平１１−０１９１１８号公報
【特許文献１】特開２００４−３０５５９４号公報
【発明の概要】
【発明が解決しようとする課題】
【００１０】
本発明の課題は、患者自身による皮膚疾患の患部掻破を防止することができる指先被覆具を提供することである。
【００１１】
本発明のもう１つの課題は、皮膚疾患の患部を外部の刺激から保護することができる指先被覆具を提供することである。
【００１２】
本発明の更にもう一つの課題は、指先に対して効率的に取り付けることができる指先被覆具を提供することである。
【課題を解決するための手段】
【００１３】
上述した課題を解決するため、本発明に係る指先被覆具は、指先被覆シートと、固定バンドとを含む。指先被覆シートは、指先を包み込むように取り付けられる。固定バンドは、指先被覆シートから突出し、指先被覆シートが指先に取り付けられた状態で、指先被覆シートの周縁に沿って巻装される。
【００１４】
上述したように、本発明に係る指先被覆具を構成する指先被覆シートは、指先を包み込むように取り付けられる。この構造によると、指先被覆シートは、指爪と患部との間に介在し、いわば緩衝材として機能することにより、指爪で患部を引っ掻いたときに生じる摩擦力などの力（掻破力）が低減される。従って、患者自身による皮膚疾患の患部掻破を防止することができる。
【００１５】
また、指先被覆シートは、指先を包み込むように取り付けられる構造によると、指先に皮膚疾患の患部が現れているとき、その患部を広く被覆し、外部の刺激から保護することができる。
【００１６】
指先被覆具は、指先被覆シートから突出する固定バンドを含み、固定バンドは、指先被覆シートが指先に取り付けられた状態で、固定バンドが指先被覆シートの周縁に沿って巻装される。この構成によると、指先被覆シートは、巻装される固定バンドの締め付け力によって指先に固定されるから、指先や指爪の長さや大きさ、太さ自体など患者の指先の個人差に追従し、指先に対して効率的に取り付けることができる。
【００１７】
また、違う観点からみれば、患者の指先の個人差に対して追従しうることにより、指先被覆シートが指先から剥がれにくくなるから、指先の患部、及び、指爪を適切に被覆し続けることができる。
【００１８】
指先被覆シートは、固定バンドの締め付け力によって指先に固定されるから、取り付けにあたり、例えば、指先被覆シートを引っ張った状態で、指先被覆シートの周縁に沿って固定バンドを巻装することにより、指先被覆シートを指先に密着させることができる。この構造によると、指先に指先被覆シートが取り付けられていることによる違和感が軽減され、指先被覆具を装着した状態で行われる指先を用いた作業の効率が向上する。
【００１９】
上述したように、指先被覆シートは、固定バンドの締め付け力によって指先に固定される。違う言葉で表現すれば、指先被覆シートは、指先の皮膚側と向かい合う面（内面）に接着領域を有する必要が無いから、指先にあらわれている皮膚疾患の悪化を回避し、もって皮膚疾患の患部を外部の刺激から保護することができる。
【００２０】
指先被覆シートは、固定バンドの締め付け力によって指先に固定され、指先の皮膚側と向かい合う面に接着領域を有する必要が無いから、その分だけコストを低減することができる。
【００２１】
さらに、指先被覆シートは、指先の皮膚側と向かい合う面に接着領域を有する必要が無いから、片手でも取り付け作業を容易に行うことができるとともに、最適な取り付け位置となるよう、取り付け作業を何度でも繰り返すことができる。従って、指先に対して効率的に取り付けることができる指先被覆具を提供することができる。
【発明の効果】
【００２２】
以上述べたように、本発明によれば、次のような効果を得ることができる。
（１）患者自身による皮膚疾患の患部掻破を防止することができる指先被覆具を提供することができる。
（２）皮膚疾患の患部を外部の刺激から保護することができる指先被覆具を提供することができる。
（３）指先に対して効率的に取り付けることができる指先被覆具を提供することができる。
【００２３】
本発明の他の目的、構成及び利点については、添付図面を参照し、更に詳しく説明する。添付図面は、単に、例示に過ぎない。
【図面の簡単な説明】
【００２４】
【図１】本発明の実施形態に係る指先被覆具の平面図である。
【図２】図１の指先被覆具の使用方法を示す斜視図である。
【図３】図２に示した工程の後の工程を示す斜視図である。
【図４】図３に示した工程の後の工程を示す斜視図である。
【図５】本発明のもう一つの実施形態に係る指先被覆具の平面図である。
【発明を実施するための形態】
【００２５】
図１乃至図５において同一符号は、同一又は対応部分を示すものとする。本発明は、指先被覆具に関し、より具体的には、アトピー性皮膚炎など皮膚疾患の患者の自傷を防止するために用いられる指先被覆具に関する。具体的に、図１の指先被覆具１は、指先被覆シート２と、補強部４と、固定バンド５とを含む。
【００２６】
指先被覆シート２は、指先（６０）を包み込むように取り付けられる。図１の指先被覆シート２は、合成樹脂材料を主成分とするフィルム体、又は、布体である。一例として、指先被覆シート２が合成樹脂材料を主成分とするフィルム体である場合、材料コスト、加工コスト、及び、耐摩耗性、耐衝撃性、伸縮性、透湿性、耐湿性などの観点から、ポリエチレン（ＰＥ）、ポリプロピレン（ＰＰ）、塩化ビニル樹脂（ＰＶＣ）、ポリ塩化ビニリデン（polyvinylidene chloride、PVDC）、不飽和ポリエステル樹脂（ＵＰ）、ポリスチレンまたはスチロール樹脂（ＰＳ）等の合成樹脂材料を用いることができる。指先被覆シート２は、上述した合成樹脂材料を、厚み十数μm〜数ｍｍ程度の透明なシート状、又は、フィルム（薄膜体）状に形成したものでなる。端的に言えば、指先被覆シート２は、食品用ラップフィルムと同じ構成のものを用いることができ、さらに言えば食品用ラップフィルムを流用することができる。
【００２７】
他方、指先被覆シート２が布体である場合、指先被覆シート２は、材料コスト、加工コスト、及び、耐摩耗性、耐衝撃性、伸縮性、透湿性、耐湿性などの観点から、天然繊維や合成繊維を用いた織布、又は、不織布で構成される。具体的に、天然繊維としては、木綿、麻等の植物繊維、羊毛等の動物繊維などを用いることができる。また、合成繊維としては、レーヨン（ＲＡＹＯＮ）、アセテート（ＡＣＥＴＡＴＥ）、ナイロン（ＮＹＬＯＮ）、ビニロン、ビニリデン、ポリ塩化ビニル、ポリエステル（ＰＯＬＹＥＳＴＥＲ）、アクリル、ポリエチレン、ポリプロピレン、ポリウレタン、ポリクラール等で構成されたものを用いることができる。指先被覆シート２は、上述した天然繊維又は合成繊維を、厚み十数μm〜数ｍｍ程度のシート状、又は、フィルム（薄膜体）状に形成したものでなる。
【００２８】
指先被覆シート２は、指先（６０）を包み込むように取り付けられるものであるから、平面からみた形状は、適宜設定することができる。この点、図１の指先被覆シート２は、平面からみて円形形状である。指先被覆シート２を平面視円形形状とする利点は、指先被覆シート２の円の中心ｃから周縁までの距離（半径ｒ）が一定となることにより、中心ｃに指先（６０）を位置決めして、指先（６０）を包み込むように取り付けたとき、全周縁が、指先の同じ位置にあらわれる点にある。その結果、指先被覆シート２の周縁部分に沿って、指の回りを周回するように固定バンド５を巻装したとき、巻装された固定バンド５により、指先被覆シート２の全周縁が巻き込まれて保持されることとなる。
【００２９】
また、指先被覆シート２は、少なくとも指先（６０）の皮膚側と向かい合う一面（内面２１）の面内に接着性を有しておらず、指先（６０）を包み込むように取り付けられたとき、内面２１が非接着面となっている。図１の指先被覆シート２は、内面２１、及び、内面２１とは反対側の他面（外面２２）が非接着面であり、さらに言えば、内面２１と外面２２とは、摩擦力の生じない、又は、摩擦力の低い平滑面構造となっている。
【００３０】
補強部４は、指先被覆シート２の周縁に沿って配置され、外部から加えられる引っ張り力や摩擦力等により指先被覆シート２が破損することを防止するものである。補強部４は、例えば指先被覆シート２の周縁を折り返して熱溶着したものであってもよいし、柔軟性のあるテープ材を、別途、周縁に沿って取り付けたものでもよい。
【００３１】
固定バンド５は、指先被覆シート２が指先（６０）を包み込むように取り付けられた状態で、指先被覆シート２の周縁に沿って巻装され、指先被覆シート２の周縁を締め付ける。図１の固定バンド５は、一端が指先被覆シート２の周縁部分の外面２２に取り付けられ、他端が指先被覆シート２に対して接線方向に延びている、固定バンド５は、他端の内面（２１）側に接着領域５０を有し、接着領域５０は、固定バンド５が指先被覆シート２の周縁を巻き込んで巻装された状態で、他端の外面側に接着する。接着領域５０は、周知の接着性接着材を用いることにより形成することができる。
【００３２】
なお、図１からは必ずしも明らかではないが、固定バンド５は、指の周囲を少なくとも１周以上、好ましくは数周できる程度の長さを有している。また、固定バンド５は、指先被覆シート２と同一の材料を用いて構成することができ、さらに言えば指先被覆シート２と一体的に製造することもできる。次に、図１を参照して説明した指先被覆具１の具体的な使用方法について、図２〜図４を参照して説明する。
【００３３】
まず、図２に示すように、例えば患者の左手の人差し指６に対し、指先被覆シート２の内面２１が向かい合う関係で、指先６０を中心ｃに位置決めする。
【００３４】
次に、図３に示すように、指先被覆シート２を指先６０に乗せ、例えば右手の掌（図示省略）で外面２２を握った状態で、指先被覆シート２を、人差し指６の延びる方向とは反対の下方向（重力方向）ｔに引き下げることにより、内面（２１）が指先６０に密着し、且つ、指先被覆シート２の周縁が重力方向ｔに垂れ下がる。その結果、指先被覆シート２が指先６０を包み込むように取り付けられる。
【００３５】
次に、図４に示すように、指先被覆シート２が指先６０を包み込むように取り付けられた状態（図３の状態）で、固定バンド５が指先被覆シート２の周縁に沿って、指先被覆シート２の全周縁を巻き込むように巻装され、巻終わり位置で接着領域５０が、内周側に位置する同固定バンド５の外面に接着されることにより、指先被覆シート２の全周縁を締め付ける。図２〜図４に示した工程は、必要に応じて左手の他の指、及び、右手の指に対しても同様に行われる。
【００３６】
ここで、既に説明したところではあるが、従来、アトピー性皮膚炎など患部に激しい痒みを生じる皮膚疾患の患者は、その痒みに耐えかねて、又は、無意識に患部を指の爪で引っ掻き、症状を悪化させてしまう、という問題を生じる。
【００３７】
上述した患者自身による患部掻破の問題を解決するため、従来、接着フィルムを指先に貼り付けて指爪を覆う接着型の指先被覆具（特許文献１、２参照）が知られている。この接着型の指先被覆具によると、患部を引っ掻いたとしても、指爪による直接的な掻破は回避されることとなる。
【００３８】
ところで、この種の皮膚疾患は、人体の至る所にあらわれるから、指先に症状があらわれている場合、そこに接着型の指先被覆具を貼ること自体が症状を悪化させる原因となる。特に、皮膚疾患の患者は、自ら患部に塗り薬を塗布する機会も多く、塗り薬の副作用によって、指先に肌荒れを生じていることもある。さらに言えば、指先は、人体において、しもやけやあかぎれなどの凍瘡、その他の切り傷、擦過傷、熱傷などの各種損傷が最も生じやすい部位の一つである。従って、指先に対し、接着型の指先被覆具を貼ることは、指先にあらわれている皮膚疾患の悪化も招くことにもなる。
【００３９】
なお、従来の接着型の指先被覆具では、接着面内に非接着性パッドを配し、非接着性パッドによって皮膚疾患の患部を覆うことにより、接着面が患部に接触しないように配慮されている。しかし、この構成では、患部の形成範囲に追従した、多種多様な非接着性パッドが必要になるから、患部の保護を効率的に行うことができない。
【００４０】
また、指先や指爪の長さや大きさ、太さ自体にも、患者毎に個人差があり、一定ではない。従って、接着型の指先被覆具では、患者の指先や指爪の個人差に応じて多種多様な非接着性パッドが必要になるから、患部の保護を効率的に行うことができない。
【００４１】
さらに、接着型の指先被覆具は、指先に貼り付けるものであるところ、そのような貼り付け作業を、片手で行うことは困難である。しかも、接着型の指先被覆具では、貼り付けに失敗して貼り直しを行う度に接着力が失われる結果、剥がれ易くなるから、指先（及び患部）を適切に被覆し続けることができない。
【００４２】
加えて、この種の指先被覆具は、衛生上の観点から、好ましくは使い捨てされるものであるところ、接着型の指先被覆具では、フィルムの一面に接着面を構成する必要があるから、その分だけコスト高となる。
【００４３】
上述した課題を解決するため、図１乃至図４の指先被覆具１は、指先被覆シート２と、固定バンド５とを含む。指先被覆シート２は、指先６０を包み込むように取り付けられる。固定バンド５は、指先被覆シート２から突出し、指先被覆シート２が指先６０に取り付けられた状態で、指先被覆シート２の周縁に沿って巻装される。
【００４４】
上述したように、本発明に係る指先被覆具１を構成する指先被覆シート２は、指先６０を包み込むように取り付けられる。この構造によると、指先以外の患部と、指爪との間に指先被覆シート２が介在し、いわば緩衝材として機能することにより、指爪で患部を引っ掻いたときに生じる摩擦力などの力（掻破力）が低減される。従って、患者自身による皮膚疾患の患部掻破を防止することができる。
【００４５】
しかも、指先被覆シート２の外面２２は、摩擦力の生じない、又は、摩擦力の低い平滑面構造となっているから、患部を引っ掻いたとき、指爪を覆う指先被覆シート２が患部の表面を円滑に滑ることとなる。従って、患者自身による皮膚疾患の患部掻破を防止することができる。
【００４６】
また、指先被覆シート２が、指先６０を包み込むように取り付けられる構造によると、指先６０に皮膚疾患の患部が現れているとき、患部を広く被覆し、外部の刺激から保護することができる。しかも、指先被覆シート２の内面２１は、摩擦力の生じない、又は、摩擦力の低い平滑面構造となっているから、指先６０の患部に対して内面２１が円滑に滑ることとなる。従って、指先６０にあらわれている皮膚疾患の悪化を回避し、もって皮膚疾患の患部を外部の刺激から保護することができる。
【００４７】
さらに、指先被覆シート２が、合成樹脂材料を主成分とするフィルム、具体的には食品用ラップフィルムと同じ構成である場合、その防水性により、水の浸入を回避することができる。また、指先被覆シート２が食品用ラップフィルムと同じく厚み十数μm〜数ｍｍ程度のフィルム（薄膜体）である場合、指先６０に指先被覆シート２が取り付けられていることによる違和感が軽減され、指先被覆具１を装着した状態で行われる指先６０を用いた作業の効率が向上する。
【００４８】
指先被覆具１を構成する指先被覆シート２は、指先６０に取り付けられた状態で、固定バンド５が指先被覆シート２の周縁に沿って巻装される。この構成によると、指先被覆シート２は、巻装される固定バンド５の締め付け力によって指先６０に固定されるから、指先６０や指爪の長さや大きさ、太さ自体など患者の指先６０の個人差に追従し、指先６０に対して効率的に取り付けることができる。
【００４９】
また、違う観点からみれば、患者の指先６０の個人差に対して追従しうることにより、指先被覆シート２が指先６０から剥がれにくくなるから、指先６０の患部、及び、指爪を適切に被覆し続けることができる。
【００５０】
指先被覆シート２は、固定バンド５の締め付け力によって指先６０に固定されるから、取り付けにあたり、例えば、指先被覆シート２を引っ張った状態で、指先被覆シート２の周縁に沿って固定バンド５を巻装することにより、指先被覆シート２を指先６０に密着させることができる。その結果、指先６０に指先被覆シート２が取り付けられていることによる違和感が軽減され、指先被覆具１を装着した状態で行われる指先６０を用いた作業の効率が向上する。
【００５１】
上述したように、指先被覆シート２は、固定バンド５の締め付け力によって指先６０に固定される。違う言葉で表現すれば、指先被覆シート２は、指先６０の皮膚側と向かい合う面（内面２１）に接着領域を有する必要が無いから、指先６０にあらわれている皮膚疾患の悪化を回避し、もって皮膚疾患の患部を外部の刺激から保護することができる。
【００５２】
指先被覆シート２は、固定バンド５の締め付け力によって指先６０に固定され、指先６０の皮膚側と向かい合う面に接着領域を有する必要が無いから、その分だけ製造コストを低減することができる。
【００５３】
さらに、指先被覆シート２は、内面２１に接着領域を有する必要が無いから、片手でも取り付け作業を容易に行うことができるとともに、最適な取り付け位置となるよう、取り付け作業を何度でも繰り返すことができる。従って、指先６０に対して効率的に取り付けることができる指先被覆具１を提供することができる。
【００５４】
また、指先被覆シート２は、内面２１に接着領域５０を有する必要が無いから、その分だけ製造コストを低減することができる。
【００５５】
図５は本発明のもう一つの実施形態に係る指先被覆具の平面図である。図５の実施形態は、指先被覆シート２の平面形状を除き、図１〜図４の実施形態と実質的に同一の構成を有している。以下、相違点を中心に説明する。
【００５６】
図５の指先被覆具１を構成する指先被覆シート２は、複数の切込み２３を有している。複数の切込み２３は、指先被覆シート２の周縁に沿って所定の間隔を隔てて等配されている。切込み２３は、先端側が中心ｃに向かって延びており、指先被覆シート２の周縁上で最も広く開口し、中心ｃに向かって幅が徐々に狭くなっている。
【００５７】
図５の指先被覆具１は、図１〜図４の実施形態と実質的に同一の構成を有しているから、図１乃至図４を参照して説明した効果を全て奏することができる。
【００５８】
さらに、図５の指先被覆具１は切込み２３を有しているから、指先被覆シート２の周縁に固定バンド５が巻装されたとき、切込み２３の分だけ周縁の不必要な巻き込み量が減少するとともに、指先被覆シート２と指先６０に密着性が向上する。従って、指先６０に指先被覆シート２が取り付けられていることによる違和感が軽減され、指先被覆具１を装着した状態で行われる指先６０を用いた作業の効率が向上する。
【００５９】
以上、好ましい実施例を参照して本発明の内容を具体的に説明したが、本発明の基本的技術思想及び教示に基づいて、当業者であれば、種種の変形態様を採り得ることは自明である。例えば、図１の指先被覆具１において、製造コストの観点から、補強部４を有しない構成とすることができる。
【００６０】
また、指先被覆具１は、指先被覆シート２の中心ｃにパッドを有していてもよい。この種のパッドとして、ガーゼ、又は、不織布で構成したものを用いることができる。この構成によると、指先被覆シート２と指先６０との間でパッドが緩衝材として機能し、掻破による患部の負傷が回避されるほか、指先被覆シート２それ自体の破損も防止される。
【００６１】
さらに、既に述べたところではあるが、図１の指先被覆シート２の平面形状は、使用時に固定バンド５を巻装する都合上、円形形状としたものであるから、その点を考慮ししなければ、必ずしも円形形状に限定されるものではない。例えば、指先被覆シート２の平面形状について、デザイン性の観点から楕円形形状、多角形形状（例えば図５参照）とすることもできる。
【符号の説明】
【００６２】
１    指先被覆具
２    指先被覆シート
５    固定バンド
６０  指先
【要約】
【課題】患者自身による皮膚疾患の患部掻破を防止し、皮膚疾患の患部を外部の刺激から保護し、指先に対して効率的に取り付けることができる指先被覆具を提供する。
【解決手段】指先被覆シート２と、固定バンド５とを含む指先被覆具１であって、指先被覆シート２は、指先６０を包み込むように取り付けられ、固定バンド５は、指先被覆シート２から突出し、指先被覆シート２が指先６を包み込むように取り付けられた状態で、指先被覆シート２の周縁に沿って巻装される。
【選択図】図１【図１】
0005442901.tif 000002
【図２】
0005442901.tif 000003
【図３】
0005442901.tif 000004
【図４】
0005442901.tif 000005
【図５】
0005442901.tif 000006